(57)【要約】【課題】非回転ツールの場合において、ツールの挿入を容易にすることのできるねじの改良された駆動部を提供することである。【解決手段】スクリューヘッド付きねじの駆動部（１４）はカム（１６）を備え、カムは、その周りに作られた窪みによって形成されており、カム（１６）はトルクを伝達するのに使用されるものであり、スクリューヘッド（１２）に面するカム端部上にカム（１６）はカムヘッド表面（１８）を有し、このカムヘッド表面は、ねじの軸線に対して直交する平面に対して、傾斜している。カム（１６）は、径方向に延長するように設けられ、かつ、カムがツールをスクリュードライブの中心に位置させるように設計されており、カムヘッド表面(１８)は第１表面（１８ａ）および第２表面（１８ｂ）を有しており、第１および第２表面の各々は、その回転方向において傾斜し、かつ、交差線（２０）で互いに対して交差する。【選択図】図１
2016526139.tif 000002
【特許請求の範囲】
【請求項１】
駆動部（１４）を有するスクリューヘッド付きねじであって、駆動部（１４）はカム（１６）を備え、カムは、その周りに作られた窪みによって形成されており、カム（１６）はトルクを伝達するのに使用されるものであり、スクリューヘッド（１２）に面するカム端部上にカム（１６）はカムヘッド表面（１８）を有し、このカムヘッド表面は、ねじの軸線に対して直交する平面に対して、傾斜しており、
カム（１６）は、径方向に延長するように設けられ、かつ、カムがツールをスクリュードライブの中心に位置させるように設計されており、カムヘッド表面(１８)は第１表面（１８ａ）および第２表面（１８ｂ）を有しており、第１および第２表面の各々は、その回転方向において傾斜し、かつ、交差線（２０）で互いに対して交差することを特徴とする、駆動部を有するスクリューヘッド付きねじ。
【請求項２】
２つの表面（１８ａ，１８ｂ）の交差線（２０）は、カム（１６）の中央にある、請求項１に記載のスクリューヘッド付きねじ。
【請求項３】
２つの表面（１８ａ，１８ｂ）の交差線（２０）は、ねじの軸線に対して直交する平面に対して、傾斜している、請求項１または２に記載のスクリューヘッド付きねじ。
【請求項４】
２つの表面（１８ａ，１８ｂ）の交差線（２０）は、ねじの軸線に対して直交する平面に対して、１０°以上３０°以下の角度で傾斜している、請求項３に記載のスクリューヘッド付きねじ。
【請求項５】
２つの表面（１８ａ，１８ｂ）は、それらの間に鈍角を形成している、請求項１〜４のいずれかに記載のスクリューヘッド付きねじ。
【請求項６】
２つの表面（１８ａ，１８ｂ）は。それらの間に１２０°以上１６０°以下の角度を形成している、請求項５に記載のスクリューヘッド付きねじ。
【発明の詳細な説明】
【技術分野】
【０００１】
この発明は、請求項１の前提部分に特定されている、駆動部を有するスクリューヘッド付きねじに関するものである。
【背景技術】
【０００２】
文献ＤＥ３５０１４１４Ａ１は、駆動部を含むスクリューヘッド付きねじを開示している。トルクを伝達するために設けられたカムは、カムヘッド表面を有する。このカムヘッド表面は、ねじの面に対して直交して延び、カム側面に向かって側方に傾斜している。
【０００３】
先行技術において、駆動部を有するスクリューヘッド付きねじは、「ａｕｔｏｓｅｒｔ」というブランド名で知られている。このねじの駆動部は、カムを備える。カムは、カムの周りに作られた窪みによって形成されており、トルクを伝達するために使用される。さらに、スクリューヘッドに向くカム端部上で、各カムはカムヘッド表面を提供する。このカムヘッド表面は、ねじの軸線に対して直交する面に対して、挿入方向において傾斜している。このタイプの設計は、例えば、文献ＵＳ５，１７１，１１７Ａに記載されている。
【０００４】
このタイプのねじは、特に、自動ねじ回しツール用に適している。特に連続的に回転するツールの場合、ねじ回しビットをねじに非常に簡単に連結することができる。その理由は、挿入方向においてカムヘッド表面の傾斜があるからである。
【先行技術文献】
【特許文献】
【０００５】
【特許文献１】ＤＥ３５０１４１４Ａ１
【特許文献２】ＵＳ５，１７１，１１７Ａ
【発明の概要】
【発明が解決しようとする課題】
【０００６】
この発明の目的は、非回転ツールの場合において、ツールの挿入を容易にすることのできるねじの改良された駆動部を提供することである。
【課題を解決するための手段】
【０００７】
本発明によれば、カムが径方向に延長されるように設計されている。それにより、スクリュードライブ中に挿入されたツールを中心に位置させる。さらに、ヘッド表面は、第１及び第２の表面に分割され、各表面は、回転方向において傾斜している。
【０００８】
ヘッド表面を２つの表面に分割することにより、自由な回転方向において、ねじがドライブツール上に迅速に置かれることを可能にする。そのような設計は、小型及びミニチュアねじに対して特に有利である。なぜなら、それらの取り扱い、特にそれらをドライブツール上に置くことは難しかったからである。
【０００９】
好ましくは、表面は、以下を実現するように配置される。すなわち、２つの表面が、カムの中央の交差線内で互いに交差する。
【００１０】
このことは、ねじを最小限だけ回転させる動作で、ドライブツールをねじ内に最適に挿入させるようにする。また、対称設計のヘッド表面を持つこの種のねじは、かなり容易に製造できることを証明した。
【００１１】
この発明の他の有利な実施形態において、交差線は、ねじ軸線に対して直交する平面に対して、ねじの中心に向かって傾斜している。その結果、カムの窪みは、円周方向におけるドライブツールのエントレイン要素の挿入を容易にするのみならず、それらを、径方向に適正に整列させるように加勢する。好ましくは、ねじ軸線に対して直交する平面に対して、交差線の傾斜角度は、１０°以上３０°以下の範囲となるように選ばれるであろう。
【００１２】
本発明によれば、ヘッド表面の両方の表面は、その交差線のところで、１２０°以上１６０°の角度を成す。スクリューヘッドに向く端部から出発すると、ヘッド表面の傾斜は、トルクを効率的に伝達するカム側面を減少させるので、理想的な設定は、効率的な挿入およびトルクの伝達に適合する傾斜角度を持つようにすることである。
【００１３】
好ましくは、第１及び第２表面の間の交差線は、丸みを帯びている。交差線のこの丸みは、ドライブツールの操作を容易にする。なぜなら、それは、ドライブツールがカッティングエッジ上で動かなくなることを防止するからである。
【００１４】
本発明の追加の利点、特徴および可能な応用は、図面に示された実施形態に対して行った記載内容から把握され得るであろう。
【００１５】
明細書、請求の範囲および図面を通して、同じ参照符号が使用されている。
【図面の簡単な説明】
【００１６】
【図１】ねじの斜視図である。
【図２】スクリューヘッドの平面図である。
【図３】線Ｂ−Ｂに沿って見た断面図である。
【発明を実施するための形態】
【００１７】
図１に示すように、本発明に係るねじ１０は、駆動部１４を形成しているスクリューヘッド１２を有する。トルク伝達のために、ねじの駆動部１４は、カム１６を備える。カム１６は、カム１６の周りに作られた窪みによって形成されている。本発明によれば、各カム１６は、２つの表面１８ａ，１８ｂを持つカムヘッド表面を有する。２つの表面は、ねじ軸線に対して直交する平面に対して傾斜している。カムヘッド表面１８を上記のように傾斜させる目的を、図面を参照して以下に説明する。
【００１８】
図２は、３個のカム１６を有する本発明に係るねじの平面図である。３個のすべてのカム１６は、各カムの中心に、中央直線支え部を有している。この支え部は、カムの高さに沿って延び、ツールをねじの中心に位置させるように作用する。交差線２０は、カム１６の幅を定める円形セグメントの角度を二等分する線上に延びている。さらに、この図は、交差線２０を示しており、図３の断面Ｂ−Ｂおよび図４の断面Ａ−Ａが以下に詳しく記載される。
【００１９】
図３は、カム１６の中心でスクリューヘッドに交差する線Ｂ−Ｂに沿って見た断面図である。図に示すように、表面１８ａおよび１８ｂの交差線２０は、ねじの軸線に対して直交する平面Ｅに対して、径方向において角度αで傾斜している。この角度αの傾斜により、ツールの挿入が容易になる。なぜなら、ツールは、カム間の中央のセンタリング部内にスライドするように強制されるからである。その結果、ツール（図示せず）が挿入されるとき、そのツールは、自動的に、ねじの中心に向かって案内される。
【００２０】
図４は、図２の線Ａ−Ａに沿って見た断面図であり、以下を明瞭に示している。すなわち、交差線２０で互いに交差する２つの表面が、ねじの軸線に対して直交する平面Ｅに対して、回転方向に傾斜している。２個の傾斜表面１８ａ，１８ｂの交差線２０は、カムの中央にある。このことは、以下の点を確実にする。すなわち、挿入されるドライブツールのエントレイン要素（entraining element）の位置に依存して、ねじ１０の最小限の回転動作だけで、エントレイン要素を窪みに対応する適正な位置にもたらし、カムに係合させることができる。この場合、２つの表面は、それらの間に約１５０°の角度βを形成する。この角度は、カムヘッド表面１８に沿ってエントレイン要素を導いて必要な滑りを保証するように、選ばれる。しかしながら、依然として、必要なトルクを容易に伝達することのできる最大カム側面２２を生み出す。
【００２１】
この解決法は、取り扱いが難しいミニチュアねじに対して理想的なものである。というのは、それらを、信頼性があって簡単な態様でドライブツール上に置くことを可能にするからである。
【図１】
2016526139.tif 000003
【図２】
2016526139.tif 000004
【図３】
2016526139.tif 000005
【図４】
2016526139.tif 000006
【国際調査報告】
2016526139.tif 000007
2016526139.tif 000008
2016526139.tif 000009
2016526139.tif 000010
2016526139.tif 000011
2016526139.tif 000012